(57)【要約】【課題】  消火用の乾燥砂を収容した保管容器への雨水等の浸入を防ぎ、かつ、前記保管容器からの取外しを迅速・容易に行うことが可能なカバーを提供すること。【解決手段】  消火用の乾燥砂Ｓを収容・保管するための保管容器１に取付けられるカバー２であって、前記カバー２は、前記保管容器１の開口部１Ａを覆う天面被覆部２Ａと、前記天面被覆部２Ａの外周縁に継ぎ目なく一体的に垂設されて前記保管容器１の胴部１Ｂ外周面を覆う筒状の周面被覆部２Ｂとを備えて形成し、また、前記周面被覆部２Ｂには、横方向に所定の距離をおいた状態で雌雄一対の面ファスナー２Ｃ、２Ｄを設け、前記雌雄一対の面ファスナー２Ｃ、２Ｄの噛み合わせによって周面被覆部２Ｂを絞り込んだ状態で、カバー２を保管容器１に取付けるようにした。【選択図】  図２
0003161432.tif 000002
【実用新案登録請求の範囲】
【請求項１】
消火用の乾燥砂を収容・保管するための保管容器に取付けられるカバーであって、前記カバーは、前記保管容器の開口部を覆う天面被覆部と、前記天面被覆部の外周縁に継ぎ目なく一体的に垂設されて前記保管容器の胴部外周面を覆う筒状の周面被覆部とを備えて形成され、保管容器に対し前記周面被覆部を絞り込んだ状態で取付けるようにしたことを特徴とする消火用乾燥砂の保管容器用カバー。
【請求項２】
周面被覆部には、横方向に所定の距離をおいた状態で雌雄一対の面ファスナーを設け、前記雌雄一対の面ファスナーの噛み合わせによって周面被覆部を絞り込むようにしたことを特徴とする請求項１記載の消火用乾燥砂の保管容器用カバー。
【請求項３】
周面被覆部には、雌雄一対の面ファスナーの噛み合わせによって絞り込まれない部位に、横方向に所定の間隔を設けた状態で複数のタックを形成したことを特徴とする請求項２記載の消火用乾燥砂の保管容器用カバー。
【請求項４】
カバーは、軽量で耐火・耐候性に優れ、かつ、吸水性のない材質のシート材料からなることを特徴とする請求項１ないし３のいずれかに記載の消火用乾燥砂の保管容器用カバー。
【考案の詳細な説明】
【技術分野】
【０００１】
本考案は、アルカリ金属等の火災が発生した際に使用される消火用の乾燥砂を収容・保管する保管容器に取付けられるカバーに関する。
【背景技術】
【０００２】
マグネシウム、カルシウム、ナトリウム等のアルカリ金属の火災が発生した場合、水を使用して消火を行うと、アルカリ金属と水とが反応して水素の気体が発生するため、前記アルカリ金属の火災の消火には乾燥砂を使用するのが有効とされている。前記乾燥砂は一般に、バケツ等の保管容器に収容した状態で保管されているが、その保管状態によっては、長期間保管しているうちに雨水の浸入等によって水分を含んだ状態となったり、前記水分によって固まった状態となったりして消火に支障をきたすことがある。このため、前記のような状態となった場合には、その都度乾燥砂を交換する必要があった。
【０００３】
そこで、乾燥砂の保管に際しては、例えば、容器本体の開口部にパッキンを介して蓋体を当接させるとともに、前記蓋体を複数のクランプを用いて容器本体側へ付勢することにより開口部を密閉状態に維持するようにした密閉容器（例えば、特許文献１参照）を用いることが考えられる。これによれば、保管中の乾燥砂が雨水の浸入等によって水分を含んだ状態となったり、前記水分によって固まった状態となったりするのを防ぐことが可能となる。
【先行技術文献】
【特許文献】
【０００４】
【特許文献１】実開昭５８−１４５８４２号公報
【考案の概要】
【考案が解決しようとする課題】
【０００５】
然るに、前記特許文献１に記載の技術においては、複数のクランプを使用して蓋体を容器本体側へ付勢することにより、開口部を密閉状態に維持している関係上、アルカリ金属の火災の消火に際して乾燥砂を使用する場合には、前記複数のクランプによる蓋体の容器本体側への付勢を解除しなければならず、即ち、容器本体から蓋体をワンタッチで取外すことができないため、迅速な消火に支障をきたすおそれがあった。
【０００６】
本考案は、前記の問題点に鑑み、消火用の乾燥砂を収容した保管容器内への雨水等の浸入を防ぎ、かつ、前記保管容器からの取外しを迅速・容易に行うことが可能な消火用乾燥砂の保管容器用カバーを提供することを目的とする。
【課題を解決するための手段】
【０００７】
前記課題を解決するために、請求項１記載の考案は、消火用の乾燥砂を収容・保管するための保管容器に取付けられるカバーであって、前記カバーは、前記保管容器の開口部を覆う天面被覆部と、前記天面被覆部の外周縁に継ぎ目なく一体的に垂設されて前記保管容器の胴部外周面を覆う筒状の周面被覆部とを備えて形成され、保管容器に対し前記周面被覆部を絞り込んだ状態で取付けるようにしたことを特徴とする。
【０００８】
請求項２記載の考案は、請求項１記載の考案において、周面被覆部には、横方向に所定の距離をおいた状態で雌雄一対の面ファスナーを設け、前記雌雄一対の面ファスナーの噛み合わせによって周面被覆部を絞り込むようにしたことを特徴とする。
【０００９】
請求項３記載の考案は、請求項２記載の考案において、周面被覆部には、雌雄一対の面ファスナーの噛み合わせによって絞り込まれない部位に、横方向に所定の間隔を設けた状態で複数のタックを形成したことを特徴とする。
【００１０】
請求項４記載の考案は、請求項１ないし３のいずれかに記載の考案において、カバーは、軽量で耐火・耐候性に優れ、かつ、吸水性のない材質のシート材料からなることを特徴とする。
【考案の効果】
【００１１】
請求項１記載の考案によれば、消火用の乾燥砂を収容した保管容器に、天面被覆部と周面被覆部とを備えてなるカバーを、前記周面被覆部を絞り込んだ状態で取付けるようにしたので、前記カバーが保管容器に対し上方への抜脱を防いだ状態で取付けられるとともに、前記カバーの天面被覆部と周面被覆部とが継ぎ目なく一体的に形成されていることから、乾燥砂の保管に際しては、前記カバーにより保管容器内に雨水等が浸入するのを良好に防いで、消火用の乾燥砂を常時乾燥した状態に維持することが可能となる。また、前記乾燥砂の使用に際しては、周面被覆部の絞り込みを解除することにより、カバーをワンタッチで保管容器から取外すことが可能であるため、迅速に乾燥砂を使用に供することができる。
【００１２】
請求項２記載の考案によれば、カバーの周面被覆部に、横方向に所定の距離をおいた状態で雌雄一対の面ファスナーを設け、雌雄一対の面ファスナーの噛み合わせによって周面被覆部を絞り込むようにしたので、前記カバーは、雌雄一対の面ファスナーの噛み合わせをワンタッチで解除し、周面被覆部の絞り込みを解除することにより、保管容器から迅速・容易に取外すことが可能となる。従って、火災等の緊急時において、迅速にカバーを保管容器から取外して乾燥砂を使用に供することができ、非常に利便である。
【００１３】
請求項３記載の考案によれば、カバーの周面被覆部には、雌雄一対の面ファスナーの噛み合わせによって絞り込まれない部位に、横方向に所定の間隔を設けた状態で複数のタックを形成したので、周面被覆部は前記タックによって予めある程度絞り込まれた状態で筒状に維持されており、この結果、前記雌雄一対の面ファスナーを噛み合わせることにより、周面被覆部を容易に絞り込むことができる。
【００１４】
請求項４記載の考案によれば、カバーは軽量で耐火・耐候性に優れ、かつ、吸水性のない材質のシート材料からなるので、乾燥砂を長期間屋外で保管する場合や、溶接の火花等が発生する場所の近辺で保管する場合でも、カバーの劣化・損傷を良好に抑えることができるとともに、前記カバーの劣化・損傷による保管容器内への雨水等の浸入や、ごみ等の侵入、転倒時における乾燥砂の飛散等を良好に防ぐことができる。
【図面の簡単な説明】
【００１５】
【図１】本考案におけるカバーを保管容器に取付けた状態を示す斜視図である。
【図２】本考案におけるカバーと保管容器とを分解して示す斜視図である。
【図３】本考案におけるカバーを裏返した状態を示す斜視図である。
【考案を実施するための形態】
【００１６】
以下、本考案を実施するための形態について、図１ないし図３を参照しながら説明する。図１、２において、１は消火用の乾燥砂Ｓ（図２参照。以下、消火砂という）を収容・保管するための保管容器（例えば、亜鉛鉄板製のバケツ等）であり、例えば、上部に円形状の開口部１Ａを有し、胴部１Ｂを下向きのテーパー状となして形成されている。１Ｃは前記開口部１Ａの周縁２ヶ所に回動可能に支着した把手である。
【００１７】
次に、２は保管容器１に取付けられる椀状のカバーであり、以下、その構造について図２、３を参照しながら説明する。図２、３において、２Ａは保管容器１の開口部１Ａを覆う、例えば、ほぼ円形状の天面被覆部、２Ｂは前記天面被覆部２Ａの外周縁に垂設されて保管容器１の胴部１Ｂを覆う筒状の周面被覆部２Ｂであり、前記天面被覆部２Ａと周面被覆部２Ｂとは、１枚のシート材料を加工することにより、継ぎ目なく一体的に形成されている。これは、個別のシート材料からなる天面被覆部２Ａと周面被覆部２Ｂとを縫合する等した場合に形成される継ぎ目から、雨水等が保管容器１内に浸入するのを防ぐためである。なお、前記シート材料としては、軽量で耐火・耐候性に優れ、かつ、吸水性のない材質のもの（例えば、防炎加工を施したターポリン等）が用いられる。
【００１８】
図２、３において、２Ｃ、２Ｄは周面被覆部２Ｂの開口端側（図３における上側）の外周面に、横方向（周面被覆部２Ｂの周方向）に所定の距離をおいた状態で設けた雌雄一対の面ファスナーであり、前記雌雄一対の面ファスナー２Ｃ、２Ｄを噛み合わせることにより、その間（内側）において周面被覆部２Ｂを絞り込む。なお、前記雌雄一対の面ファスナー２Ｃ、２Ｄは、周面被覆部２Ｂの絞り込み寸法を調節可能な長さ寸法で形成されている。
【００１９】
図３において、２Ｅは周面被覆部２Ｂにおける雌雄一対の面ファスナー２Ｃ、２Ｄの噛み合わせによって絞り込まれない部位（雌雄一対の面ファスナー２Ｃ、２Ｄの外側）の開口端側に、横方向（周面被覆部２Ｂの周方向）に所定の間隔を設けた状態で形成した複数のタック２Ｅ（図３においては８ヶ所）であり、これら複数のタック２Ｅにより周面被覆部２Ｂは予めある程度絞り込まれた状態で筒状に維持される。
【００２０】
以上のように、本考案のカバー２は、天面被覆部２Ａと、周面被覆部２Ｂと、雌雄一対の面ファスナー２Ｃ、２Ｄと、タック２Ｅとを備えて椀状に形成されるものである。なお、図示はしていないが、カバー２には赤色のシート材料を用い、天面被覆部２Ａに白字で“消火砂”と記載しておけば、保管容器１にカバー２が取付けられていても、中身を判別しやすくなる。
【００２１】
次に、カバー２を保管容器１に取付ける場合について説明する。この場合は、まず、図２で示すように、カバー２の周面被覆部２Ｂの開口端側外周面に設けた雌雄一対の面ファスナー２Ｃ、２Ｄの噛み合わせを解除し、前記周面被覆部２Ｂの開口端側（図２における下側）を広げた状態で、消火砂Ｓを収容した保管容器１の上方からカバー２を、前記保管容器１の開口部１Ａを天面被覆部２Ａで覆うようにして被せる。つづいて、周面被覆部２Ｂの開口端側外周面に設けた雌雄一対の面ファスナー２Ｃ、２Ｄを噛み合わせることにより、前記雌雄一対の面ファスナー２Ｃ、２Ｄ間において周面被覆部２Ｂを、保管容器１の胴部１Ｂの形状（下向きのテーパー形状）に合わせて絞り込む（開口端側を窄める）。これにより、カバー２は保管容器１に対し上方への抜脱を防いだ状態で取付けられる（図１参照）。
【００２２】
一方、カバー２を保管容器１から取外す場合は、図１で示す状態において、周面被覆部２Ｂの開口端側外周面に設けた雌雄一対の面ファスナー２Ｃ、２Ｄの噛み合わせを解除して、前記周面被覆部２Ｂの開口端側を、絞り込みにより窄めた状態から広げた状態とするとともに、前記カバー２を上方へ持ち上げることにより、図２で示すように、前記カバー２を保管容器１からワンタッチで取外すことができる。
【００２３】
本考案においては、カバー２を保管容器１に被せた状態で、前記カバー２の周面被覆部２Ｂの開口端側外周面に設けた雌雄一対の面ファスナー２Ｃ、２Ｄを噛み合わせることにより、前記周面被覆部２Ｂを雌雄一対の面ファスナー２Ｃ、２Ｄ間において保管容器１の胴部１Ｂの形状（下向きのテーパー形状）に合わせて絞り込むようにしたので、前記カバー２は保管容器１に対し、上方への抜脱を防いだ状態で取付けることが可能となる。この結果、消火砂Ｓを収容した保管容器１を屋外で保管する場合でも、前記カバー２が風によって飛ばされることはなく、しかも、前記カバー２の天面被覆部２Ａと周面被覆部２Ｂとが１枚のシート材料を加工することにより継ぎ目なく一体的に形成されていることから、前記保管容器１内へ雨水等が浸入するのを良好に防いで、前記保管容器１内に収容されている消火砂Ｓを常に乾燥した状態に維持することができる。その上、前記カバー２を用いることにより、保管容器１内への雨水等の浸入だけでなく、ごみ等の侵入や、前記保管容器１が転倒した際に消火砂Ｓが外部に飛散するのも良好に防ぐことができる。
【００２４】
また、カバー２の保管容器１に対する固定は、周面被覆部２Ｂの外周面に設けた雌雄一対の面ファスナー２Ｃ、２Ｄの噛み合わせのみで行われているため、前記雌雄一対の面ファスナー２Ｃ、２Ｄの噛み合わせを解除して、周面被覆部２Ｂの開口端側を絞り込んだ状態から広げた状態とすれば、カバー２を保管容器１からワンタッチで取外すことが可能となり、この結果、火災等の緊急時においても、迅速にカバー２を保管容器１から取外して、消火砂Ｓを使用に供することができる。しかも、前記雌雄一対の面ファスナー２Ｃ、２Ｄは、周面被覆部２Ｂの絞り込み寸法を調節可能な長さ寸法で形成されているので、カバー２はサイズの異なる種々の保管容器に使用することが可能となる。また、前記雌雄一対の面ファスナー２Ｃ、２Ｄは、予め周面被覆部２Ｂの外周面に設けられているので、カバー２を保管容器１に固定するための部材を別個に用意する必要がなく、これにより、部品点数の増加を招いたり、カバー２の保管容器１からの迅速な取外しを阻害したりするという問題の発生を良好に防ぐことが可能となる。
【００２５】
更に、カバー２の周面被覆部２Ｂには、雌雄一対の面ファスナー２Ｃ、２Ｄの噛み合わせによって絞り込まれない部位に、横方向に所定の間隔を設けた状態で複数のタック２Ｅが形成されているので、前記周面被覆部２Ｂは複数のタック２Ｅによって予めある程度絞り込まれた状態で筒状に維持されており、この結果、前記雌雄一対の面ファスナー２Ｃ、２Ｄを噛み合わせれば、周面被覆部２Ｂを保管容器１の胴部１Ｂの形状（下向きのテーパー形状）に合わせて容易に絞り込むことができる。しかも、複数のタック２Ｅの代わりに、例えば、ゴム等を用いて周面被覆部２Ｂを絞り込んで筒状に維持する場合に比べ、耐久性を向上させることが可能となる。即ち、繰り返し使用する間にゴムが伸びる等して絞り込みが緩み、型崩れを起こす等ということがなく、長期間にわたり安定して使用することができる。
【００２６】
また、カバー２は、軽量で耐火・耐候性に優れ、かつ、吸水性のない材質のシート材料からなるので、前記カバー２を取付けた保管容器１を長期間屋外に設置する場合や、溶接の火花等が発生する場所の近辺に設置する場合でも、前記カバー２が劣化・損傷するのを抑制することができるとともに、前記カバー２の劣化・損傷による保管容器１内への雨水等の浸入や、ごみ等の侵入、転倒等による消火砂Ｓの外部への飛散を良好に防ぐことができる。
【００２７】
なお、本考案の実施の形態においては、開口部１Ａが円形状の保管容器１に取付けられるカバー２を一例として説明したが、これに限定されるものではなく、開口部が矩形状や多角形状の保管容器に取付けられるカバーにも適用することが可能である。
【符号の説明】
【００２８】
１  保管容器（バケツ）
１Ａ  開口部
１Ｂ  胴部
２  カバー
２Ａ  天面被覆部
２Ｂ  周面被覆部
２Ｃ、２Ｄ  面ファスナー
２Ｅ  タック
【図１】
0003161432.tif 000003
【図２】
0003161432.tif 000004
【図３】
0003161432.tif 000005